(57)【要約】【課題】液体を吐出する吐出口と、吐出口と連通する個別液室と、個別液室の内側面の一部をなす振動板と、該振動板を変形させることで前記個別液室の容積を変化させるアクチュエータと、を備え、アクチュエータに個別液室を膨張、収縮、再膨張、再収縮させるための駆動信号を入力することで液体を吐出させる液体吐出方法において、駆動信号入力完了後のメニスカスのオーバーシュートを防止して、突き出し液柱の屈曲を要因とした液体吐出方向の偏向を抑制する。【解決手段】上記駆動信号入力完了後に出現する振動板の極小変位に対し、当該出現後から吐出口側にて液柱切断部が観察される時点までの振動板変位が極小変位を下回らないように、個別液室を膨張させるための波形部分と、個別液室を初期容積に戻すための波形部分とを含む補助駆動信号をアクチュエータに入力する。【選択図】図７
2010143065.tif 000002
【特許請求の範囲】
【請求項１】
液体を吐出する吐出口と、該吐出口と連通する個別液室と、該個別液室の内側面の一部をなす振動板と、該振動板を変形させることで前記個別液室の容積を変化させるアクチュエータと、を備え、前記個別液室の容積変化によって液体を吐出させる液体吐出方法において、
前記液体の吐出を行わせるために、前記個別液室を膨張させるための波形部分と、前記個別液室を収縮させるための波形部分と、前記個別液室を再膨張させるための波形部分と、前記個別液室を収縮させるための波形部分とを含む主駆動信号を前記アクチュエータに入力し、
当該主駆動信号の入力完了後に出現する前記振動板の極小変位点δＬに対し、当該出現の後、吐出口側にて液柱分断が観察される時間ｔＢまでの振動板変位が極小変位点δＬを下回らないように個別液室を膨張させるための波形部分と、前記個別液室の容積を収縮させて初期状態に戻すための波形部分とを含む補助駆動信号を前記アクチュエータに入力する、
ことを特徴とする液体吐出方法。
【請求項２】
前記個別液室の容積を初期状態に戻すための前記補助駆動信号の波形部分は、前記吐出の過程で形成される液柱の分断が観察される時点より後に入力されることを特徴とする請求項１に記載の液体吐出方法。
【請求項３】
前記アクチュエータは圧電素子と電極とを含み、該電極への電圧の印加に応じて前記圧電素子が変形することで前記振動板が変位し、前記個別液室の容積を変化させることを特徴とする請求項１または請求項２に記載の液体吐出方法。
【請求項４】
前記圧電素子が圧電体薄膜の形態を有することを特徴とする請求項３に記載の液体吐出方法。
【請求項５】
液体を吐出する吐出口と、該吐出口と連通する個別液室と、該個別液室の内側面の一部をなす振動板と、該振動板を変形させることで前記個別液室の容積を変化させるアクチュエータと、を備えた液体吐出ヘッドを用い、前記個別液室の容積変化によって液体を吐出させる液体吐出装置において、
前記アクチュエータに主駆動信号を入力し、当該入力後に補助駆動信号を入力する制御部を具え、
前記主駆動信号は、前記液体の吐出を行わせるために、前記個別液室を膨張させるための波形部分と、前記個別液室を収縮させるための波形部分と、前記個別液室を再膨張させるための波形部分と、前記個別液室を収縮させるための波形部分とを含み、
前記補助駆動信号は、前記主駆動信号の入力完了後に出現する前記振動板の極小変位点δＬに対し、当該出現の後、吐出口側にて液柱分断が観察される時間ｔＢまでの振動板変位が極小変位点δＬを下回らないように個別液室を膨張させるための波形部分と、前記個別液室の容積を収縮させて初期状態に戻すための波形部分とを含む、
ことを特徴とする液体吐出装置。
【発明の詳細な説明】
【技術分野】
【０００１】
本発明は、液体吐出方法および液体吐出装置に関する。特に本発明は、液体を吐出するための吐出口とこれに連通する個別液室とを具え、この個別液室の一部を構成する振動板をアクチュエータにより変形させることで液体を吐出させる液体吐出方法および液体吐出装置に関する。そして本発明は、紙，布，皮革，不織布，ＯＨＰ用プラスチックフィルム等の記録媒体に記録を行う機器だけでなく、基板，板材，固体物等に液体を付着させることでパターニングや加工を行う装置、さらには塗装装置等にも適用可能なものである。
【背景技術】
【０００２】
従来より、電圧パルスの印加により変形する圧電素子を利用して液体（インクなど）を吐出する液体吐出ヘッドが知られている。かかる液体吐出ヘッドでは、液体を吐出する吐出口と、その吐出口と連通する個別液室とを備え、個別液室の側面の一部に振動板が配置されている。そして、圧電素子の変形により振動板を変形させて、個別液室の内容積の変化（膨張または収縮など）を生じさせることで液体を吐出する。圧電素子の変形を利用する方式としては、圧電素子の軸方向に伸張・収縮を生じさせる縦振動を利用するタイプや、圧電素子のたわみを利用するタイプ（以下、ベンダー型と称する）がある（例えば特許文献１参照）。
【０００３】
【特許文献１】特許第３４２５１１３号明細書（第５頁、図２、図３）
【発明の開示】
【発明が解決しようとする課題】
【０００４】
圧電素子を使用した液体吐出ヘッドを使用して液滴を吐出させる代表的な方法の１つとして、個別液室の容積を「膨張−収縮−再膨張−再収縮」の順序で変化させるものがある。このような容積変化によって液体吐出ヘッドから吐出される液体は、柱状に伸びた後に途中で分断され、これにより分離した液滴が記録媒体などの受容体に到達する。そして特許文献１には、柱状に伸びた液体（液柱）が分断され、液滴が千切れる時刻は「再膨張」のプロセス中である旨が開示されている。
【０００５】
ところが、本発明者が特許文献１と同じベンダー型の液体吐出ヘッド（インクジェットヘッド）を用いて、後述する図６（ａ）に示す駆動信号でインクの吐出実験を行ったところ、特許文献１の開示とは異なる現象が確認された。すなわち、液柱が吐出口付近のメニスカスから分断されて飛翔するのを詳細に観察した結果、実際に分断が生じるのは、上記変化を生じさせる駆動信号の入力が完了した後、すなわち「再収縮」のプロセス後であることが確認されたのである。
【０００６】
この現象を確認した本発明者が鋭意検討を行ったところ、この「再収縮」のプロセス後に液柱分断を生じさせる吐出形態は、液滴量を確実に制御できるという意味で有効であるとの知見を得た。なぜならば、「再膨張」のプロセス中の時点では液柱分断が生じていないので、「再膨張」での制御量を液柱に伝えることが可能となり、その制御量が適切に変化するよう操作することによって液滴量を調整できるからである。
【０００７】
しかしながら本発明者の検討に係る「再収縮」のプロセス後に液柱分断を生じさせる吐出形態において、当該分断前にメニスカスが吐出口の外に隆起するオーバーシュートが生じると、液柱の付け根が曲り、液滴吐出方向が偏向するという課題が見出された。
【０００８】
本発明の目的は、個別液室の容積の２番目の膨張（再膨張）プロセスでの液滴量の制御性を確保しつつも、メニスカスのオーバーシュートを防止し、突出する液柱の屈曲を要因とした吐出方向の偏向をなくして高品位印刷が実現できるようにすることにある。
【課題を解決するための手段】
【０００９】
そのために、本発明は、液体を吐出する吐出口と、該吐出口と連通する個別液室と、該個別液室の内側面の一部をなす振動板と、該振動板を変形させることで前記個別液室の容積を変化させるアクチュエータと、を備え、前記個別液室の容積変化によって液体を吐出させる液体吐出方法において、
前記液体の吐出を行わせるために、前記個別液室を膨張させるための波形部分と、前記個別液室を収縮させるための波形部分と、前記個別液室を再膨張させるための波形部分と、前記個別液室を収縮させるための波形部分とを含む主駆動信号を前記アクチュエータに入力し、
当該主駆動信号の入力完了後に出現する前記振動板の極小変位点δＬに対し、当該出現の後、吐出口側にて液柱分断が観察される時間ｔＢまでの振動板変位が極小変位点δＬを下回らないように個別液室を膨張させるための波形部分と、前記個別液室の容積を収縮させて初期状態に戻すための波形部分とを含む補助駆動信号を前記アクチュエータに入力する、
ことを特徴とする。
【００１０】
また、本発明は、液体を吐出する吐出口と、該吐出口と連通する個別液室と、該個別液室の内側面の一部をなす振動板と、該振動板を変形させることで前記個別液室の容積を変化させるアクチュエータと、を備えた液体吐出ヘッドを用い、前記個別液室の容積変化によって液体を吐出させる液体吐出装置において、
前記アクチュエータに主駆動信号を入力し、当該入力後に補助駆動信号を入力する制御部を具え、
前記主駆動信号は、前記液体の吐出を行わせるために、前記個別液室を膨張させるための波形部分と、前記個別液室を収縮させるための波形部分と、前記個別液室を再膨張させるための波形部分と、前記個別液室を収縮させるための波形部分とを含み、
前記補助駆動信号は、前記主駆動信号の入力完了後に出現する前記振動板の極小変位点δＬに対し、当該出現の後、吐出口側にて液柱分断が観察される時間ｔＢまでの振動板変位が極小変位点δＬを下回らないように個別液室を膨張させるための波形部分と、前記個別液室の容積を収縮させて初期状態に戻すための波形部分とを含む、
ことを特徴とする。
【発明の効果】
【００１１】
本発明によれば、液体を吐出するための主駆動信号の入力後に補助駆動信号を入力することによって、吐出口から突出した液柱の分断が生じる前には、液柱の屈曲の要因となるメニスカスのオーバーシュートが発生しないようにすることが可能となった。このため、吐出方向の偏向をなくして高品位印刷が実現できるものとなる。なお、液体吐出ヘッドは、記録装置だけでなくパターニング装置や塗布装置など様々な分野に応用され、様々な物性の液体や様々なヘッド構造が用いられる。従って、適切かつ普遍的な液体吐出ヘッドの駆動制御の指針を与え、応用分野を拡大する上でも、本発明は好ましいものである。
【発明を実施するための最良の形態】
【００１２】
以下、図面を参照して本発明を詳細に説明する。
【００１３】
１．液体吐出装置
図１は、本発明が適用可能な液体吐出装置の一例として、インクジェット記録装置形態のものを示す概略斜視図である。液体吐出装置に挿入された記録媒体Ｐは、送りローラ１０７，１０８，１０９，１１０によって液体吐出ヘッドユニット１００の記録可能領域へ搬送される。液体吐出ヘッドユニット１００は、ガイド軸１０２によって、その延在方向に沿って移動可能に支持されている。そして、モータ１０３の駆動によってプーリ１０５，１０６に架けられたベルト１０４が移動し、これに伴って液体吐出ヘッドユニット１００が記録領域をＡ方向に往復移動する。当該移動の過程で液体吐出を行うことが可能である。また、図において矢印Ｂで示す方向は記録媒体Ｐの搬送方向である。
【００１４】
液体吐出ヘッドユニット１００には、複数色のインクを吐出するためのインクジェットヘッド形態の液体吐出ヘッド１０３と、それぞれの液体吐出ヘッド１０３にインクを供給するためのインクタンク１０１とが搭載されている。この例の液体吐出装置における複数色のインクは、ブラック（Ｂｋ）、シアン（Ｃ）、マゼンタ（Ｍ）、イエロー（Ｙ）の４色である。なお、各色の位置は特に限定されるものではなく、また、用いる色調（色および濃度）の種類およびその数についても限定されるものではない。
【００１５】
また、本例の場合、ブラック、シアン、マゼンタ、イエローの各色インク（Ｂｋ，Ｃ，Ｍ，Ｙ）のインクタンクが全て独立に交換可能な構成となっている。液体吐出ヘッドユニット１００には、Ｂｋ，Ｃ，Ｍ，Ｙの各色液滴を吐出する液体吐出ヘッドの群と、Ｂｋ用インクタンク１０１Ｂ、Ｃ用インクタンク１０１Ｃ、Ｍ用インクタンク１０１Ｍ、Ｙ用インクタンク１０１Ｙが搭載される。各インクタンクは対応する液体吐出ヘッドと接続され、その液体吐出ヘッドの吐出口に連通する個別液室内にインクを供給する。この例以外にも、例えば、各色用のインクタンクと液体吐出ヘッドとが分離不能に一体となった構造としてもよい。また、液体吐出ヘッドユニットには液体吐出ヘッドのみを搭載し、装置の固定部位に設けたインクタンクから可撓性チューブ等を介してインクが供給されるものでもよい。これらの例以外にも、例えば、各色用のインクタンクを任意の組み合わせで一体構造としてもよい。
【００１６】
液体吐出ヘッドユニット１００が移動可能な主走査領域の一端（図では右端）の下部には、回復系ユニット１１２が配備されている。回復系ユニット１１２は、液体吐出ヘッドの吐出口形成面をキャッピングし、非記録動作時などにおいてはその保護を行ったり、あるいは吸引回復を行ったりするためのキャップや、吐出口形成面を払拭するワイパブレードなどを有したものとすることができる。
【００１７】
２．液体吐出ヘッド
図２および図３は本発明に適用可能な液体吐出ヘッドの構成例であり、それぞれ、吐出口形成面側から見た模式的正面図およびそのＣ−Ｃ線断面図を示している。本実施形態で説明する液体吐出ヘッドは圧電素子の面外方向の歪を利用する所謂ベンダー型のヘッドである。
【００１８】
この例の液体吐出ヘッドは、インクを吐出する複数の吐出口２が設けられたオリフィスプレート１と、各吐出口に対応する個別液室３の複数およびこれらに共通に連通してインクを供給する共通液室１１を画成する壁部が配置された基体６とを有する。個別液室３は、連通路７を介して吐出口２に連通している。
【００１９】
個別液室３の側面の一部には変位可能な振動板４が設けられ、この振動板４に対して、個別液室の容積制御部である圧電素子（ピエゾ素子）および電極を含むアクチュエータ５が配置されている。圧電素子は、蒸着法，ゾル・ゲル法，ＣＶＤ法，スパッタ法などによって成膜した圧電体薄膜であってもよい。アクチュエータ５に、記録情報に対応して駆動電圧信号を印加することにより振動板４を変位させ、個別液室３の容積変化を生じさせることで、吐出口２から液滴を吐出させることが可能である。アクチュエータ５は、これに印加される駆動電圧が下降する場合には個別液室の容積を増大させるよう、また駆動電圧が上昇する場合に個別液室の容積を減少させるよう、それぞれ厚み方向に変形するものとする。
【００２０】
なお、本発明を成すにあたって検討に使用した液体吐出ヘッドにおいて、吐出口２は直径３０μｍの円形状であり、吐出させる液体は、密度１．０×１０３ｋｇ／ｍ３、粘度２．０×１０−３Ｐａ・ｓ、表面張力３．５×１０−２Ｎ／ｍを持つインクとした。
【００２１】
また、アクチュエータ５（上電極、圧電素子、下電極）、および振動板４はこれら自体の変形を容易にするために、振動板とアクチュエータとをあわせて１０μｍの厚みを持つ構成とした。圧電素子を圧電体薄膜として構成すればアクチュエータを薄く形成でき、この程度の厚みを実現できる。そして、この程度の薄膜形状であれば、個別液室の容積の増減を示す指標となる振動板変位の時間推移δ（ｔ）は、アクチュエータ５の表面（上電極位置）の変位（面外変位）で表されているとみなすことができる。この変位は、振動板が形成されている面に対して垂直な方向の変位を指し、従って例えばレーザー・ドップラー方式によってその変位の測定を行うことで、振動板変位の時間推移ひいては個別液室３の体積変化（膨張、収縮）を知ることができる。
【００２２】
図４はアクチュエータ５を駆動するために用いられる駆動部の構成例を示す。アクチュエータ５は電力を供給するための電極配線を介して駆動回路５１に接続されている。駆動回路５１は、液体吐出情報（例えば記録情報）に対応する駆動データ（吐出の有無を定めるためのデータ）に応じ、制御部である駆動波形設定部５３によって設定される駆動波形にて、アクチュエータ５を作動させることができる。
【００２３】
駆動波形設定部５３は、好ましい液体吐出形態を生じさせる個別液室の容積増減の時間推移（振動板の面外変位の時間推移）が生じるような駆動波形を設定する。
【００２４】
３．比較例
ここで、本発明にあたって検討した例（比較例）について先に説明する。
【００２５】
図２および図３について説明したベンダー型の液体吐出ヘッドに対し、図４に示した駆動部を用いて、図５（ａ）に示す駆動信号を印加した。その際の振動板４の時間推移（振動板変位時刻歴線図）を図５（ｂ）に示す。また、図６（ａ）〜（ｇ）はこの際に観察された液滴の吐出状態を示す。図６を詳細に見ると、吐出口２側の液柱の付け根部が曲がっており、この影響で液滴の吐出方向の偏向（以下、「ヨレ」とも称する）が生じていることがわかる。
【００２６】
本発明者は、このヨレの発生の要因を鋭意検討した。まず、図５の（ａ）と（ｂ）との比較から明らかなように、ベンダー型の液体吐出ヘッドの場合、電圧変化と振動板４の変位とが必ずしもそのまま一致する訳ではない。従って、駆動信号だけでなく、振動板変位時刻歴線図を基に要因分析することとした。
【００２７】
図５（ｂ）の横軸は時間、縦軸は振動板の変位であって、変位量が増加する方向への推移は個別液室３を膨張させることを示している。また、図５（ｂ）においてｔＢは吐出口側にて液柱の分断が観察される時点を示し、区間Ｔは図５（ａ）の駆動信号入力完了後に出現する振動板の極小変位点δＬ出現の時点から液柱の分断が観察される時点ｔＢまでの時間を示す。
【００２８】
上記方針に基づいて吐出過程を分析すると、以下のようになる。
【００２９】
第一の信号波形部分Ｐ１によって、個別液室３を膨張させる方向に振動板４を変位させて（図５の（ａ）における振動板変位時刻歴線Ｃ１）、図６（ａ）のようにメニスカスを吐出口内に引き込む。次に第二の信号波形部分Ｐ２によって、個別液室３を収縮させる方向に振動板４を変位させて（図５の（ａ）における振動板変位時刻歴線Ｃ２）、図６（ｂ）のようにメニスカスを盛り上げ、液柱を形成する。
【００３０】
次に第三の信号波形部分Ｐ３によって、個別液室３を再膨張させる方向に振動板４を変位させて（図５の（ａ）における振動板変位時刻歴線Ｃ３）、メニスカスを吐出口内に引き込み、図６（ｃ）のように突出液柱の太さのリサイズ（調整）を行う。次に第四の信号波形部分Ｐ４により個別液室３を収縮させる方向に振動板４を変位させて（図５の（ａ）における振動板変位時刻歴線Ｃ４）、個別液室の容積を初期状態にするために初期待機電圧Ｖ１に復帰させる。第四の信号Ｐ４入力完了後の吐出状態が図６（ｄ）であり、この図に示すように主駆動信号入力完了後も液柱は千切れない。
【００３１】
図５（ｂ）の振動板変位時刻歴線図において、第四の信号波形部分Ｐ４の入力完了後、インクとの連成挙動によって生じる個別液室３の内容積変動に伴って振動板の変位が極小となる極小変位点δＬが出現し、次に極大となる振動板変位点が出現する。この極大変位点出現後、個別液室３を収縮させる方向に変位させると、時点ｔＣで振動板変位が極小変位点δＬを下回った。これに対応して、図６（ｅ）に示すように液柱の付け根にはメニスカスのオーバーシュートが発生し、液柱の付け根が屈曲させられて、図６（ｆ）および（ｇ）のように液滴のヨレが生じたと考えられる。
【００３２】
４．実施例
そこで本発明者らは、外界から吐出口部を観察することによって、吐出口から突出した液柱が千切れる前にメニスカスのオーバーシュートが発生しないように制御することで、液滴のヨレを防止できるのではないかと考察した。
【００３３】
ここで、本発明が有効に適用される構成をまとめると、次のとおりである。
【００３４】
液体吐出ヘッドは、液体（インク等）を吐出する吐出口と、この吐出口と連通する個別液室と、その個別液室の内側面の一部を形成している振動板と、その振動板をアクチュエータにより変形させ、個別液室の容積を変化させることで液体を吐出させるものである。ここで、当該吐出を行わせるためにアクチュエータに印加される主駆動信号の波形は、個別液室を膨張させるための波形部分と、個別液室を収縮させるための波形部分と、個別液室を再膨張させるための波形部分と、個別液室を収縮させるための波形部分とを含む。また、主駆動信号の入力完了後には振動板の変位が極小となる極小変位点δＬが出現する。
【００３５】
そして本発明の特徴構成では、主駆動信号の入力後に、次のような補助駆動信号を入力する。すなわち、振動板変位時刻歴線にて、極小変位点δＬが出現した後、吐出口側にて液柱分断が観察される時間ｔＢまでの振動板変位が極小変位点δＬを下回らないように個別液室を膨張させる波形部分と、初期待機電圧に戻す波形部分とを含む補助駆動信号である。
【００３６】
本発明者らは、かかる補助駆動信号を用いれば確実に所期の効果が得られると考察し、下記実施例に基いてその検証を行った。
【００３７】
実施例１
図２および図３について説明した液体吐出ヘッドに対し、図４に示した駆動部を用いて、図７（ａ）に示す駆動信号を印加した。その際の振動板４の変位時刻歴線図を図７（ｂ）に示す。図５（ｂ）と同様、図７（ｂ）において横軸は時間、縦軸は振動板の変位を示し、変位量が増加する方向への推移は個別液室３を膨張させることを示している。また、図５（ａ）の時間ｔＢは液柱の切断部が観察された時点を示す。図８（ａ）〜（ｆ）は観察された液滴の吐出状態である。
【００３８】
図７（ａ）において、第一の波形部分Ｐ１から第四の波形部分Ｐ４が主駆動信号の波形を形成している。本実施例の場合、第一の波形部分Ｐ１〜第四の波形部分Ｐ４は比較例と同一とした。従って、主駆動信号入力完了までの吐出過程は比較例と同様であり、個別液室３を膨張、収縮、再膨張および再収縮させることによって、図８（ａ）〜（ｄ）に示すように液柱が形成される。主駆動信号入力完了後の吐出状態が図８（ｄ）であり、この図に示すように主駆動信号入力完了後も液柱は千切れない。
【００３９】
なお、主駆動信号の第二の波形部分Ｐ２および第三の波形部分Ｐ３の電圧は初期待機電圧Ｖ１と同一でも構わない。また、各波形部分の電圧や印加時間を変えることで振動板変位を適切に調整し、所望の吐出性能（吐出量Ｖｄ，吐出速度ｖ）が得られるように設定することができる。
【００４０】
さて、主駆動信号入力を完了した後、振動板４はインクとの連成挙動によって振動板の極小変位点δＬが出現し、次に個別液室３を膨張させる方向に振動板４が変位する。
【００４１】
ここで本実施例においては、主駆動信号入力完了後に、補助駆動信号を入力する。図７（ａ）の第五の波形部分Ｐ５および第六の波形部分Ｐ６を含むものが補助駆動信号である。極小変位点δＬが出現した後、この補助駆動信号に含まれる第五の波形部分Ｐ５によって個別液室３を膨張させる方向に振動板４を変位させ（図７（ｂ）の振動板変位時刻歴線Ｃ５）、個別液室３を収縮させる方向への振動板変位を抑制した（図８（ｅ））。そして、最後に第六の波形部分Ｐ６によって個別液室を初期容積に戻すための初期待機電圧Ｖ１に復帰させた。
【００４２】
以上のような補助駆動信号を入力した結果、図８（ｆ）に示すようにメニスカスのオーバーシュートが発生する前に液柱の切断部が観察され、液柱には屈曲が見られず、図８（ｇ）に示すようにヨレのない吐出が実現できた。
【００４３】
実施例２
実施例２においては、主駆動信号は実施例１と同一とし、その後に入力する補助駆動信号の第６の波形部分Ｐ６を、積極的に液柱の切断部が観察されてから入力するように変更した。このように変更を行っても、実施例１と同様に、図８（ｆ）に示すようにメニスカスのオーバーシュートが発生する前に液柱の切断部が観察され、液柱には屈曲が見られず、図８（ｇ）に示すようにヨレのない吐出が実現できた。
【００４４】
５．その他
なお、上述した各種の数値は、例示であることは勿論である。
【００４５】
また、上例ではインクジェット記録装置形態の液体吐出装置およびヘッドに本発明を適用した場合について説明したが、本発明は、記録装置だけでなくパターニング装置や塗布装置など様々な液体吐出装置に好ましく適用可能である。装置に応じて様々な物性の液体や様々なヘッド構造が用いられることに対して、吐出口を小径化せずに吐出液滴の微細化を達成し得る適切かつ普遍的な液体吐出ヘッドの駆動制御の指針を与えることができるからである。
【００４６】
さらに、上記実施形態においてはアクチュエータ５に正の駆動電圧を与えることにより個別液室３が収縮する形態について説明したが、負の駆動電圧を与えることにより個別液室３が収縮する形態にも本発明が適用可能であることは言うまでもない。
【図面の簡単な説明】
【００４７】
【図１】本発明が適用可能な液体吐出装置の一例として、インクジェット記録装置形態のものを示す概略斜視図である。
【図２】本発明に適用可能な液体吐出ヘッドの構成例であり、吐出口形成面側から見た模式的正面図を示している。
【図３】本発明に適用可能な液体吐出ヘッドの構成例であり、図２のＣ−Ｃ線断面図を示している。
【図４】アクチュエータ（圧電素子）の駆動部の構成例を示すブロック図である。
【図５】（ａ）および（ｂ）は、それぞれ、図３の液体吐出ヘッドに印加される比較例での駆動電圧波形を示す波形図およびこれに伴う振動板変位時刻歴線図である。
【図６】（ａ）〜（ｇ）は比較例における液体吐出状態の説明図である。
【図７】（ａ）および（ｂ）は、それぞれ、図３の液体吐出ヘッドに印加される実施例での駆動電圧波形を示す波形図およびこれに伴う振動板変位時刻歴線図である。
【図８】（ａ）〜（ｇ）は実施例における液体吐出状態の説明図である。
【符号の説明】
【００４８】
２  吐出口
３  個別液室
４  振動板
５  アクチュエータ
【図１】
2010143065.tif 000003
【図２】
2010143065.tif 000004
【図３】
2010143065.tif 000005
【図４】
2010143065.tif 000006
【図５】
2010143065.tif 000007
【図６】
2010143065.tif 000008
【図７】
2010143065.tif 000009
【図８】
2010143065.tif 000010